【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
無線局により伝送を測定する方法において、
モードフィールド、測定継続期間フィールド、ベーシック・サービス・セット識別子（ＢＳＳＩＤ）フィールド、チャネル番号フィールド、およびビーコン情報報告フィールドからなるビーコン要求を受信するステップであって、前記ビーコン情報報告フィールドが状態報告成分としきい値成分を含む、ステップと、
前記ビーコン要求に応じてビーコンレポートを送信するステップと
を含むことを特徴とする方法。
【請求項２】
請求項１に記載の方法において、前記状態報告成分が、前記ビーコン報告を伝送する状態を報告する８ビットの整数であることを特徴とする方法。
【請求項３】
請求項１に記載の方法において、
周期的に、測定を実行するステップであって、前記状態報告成分が０の値を有し、前記ビーコン報告が書く測定の後に送信される、ステップを更に含むことを特徴とする方法。
【請求項４】
請求項１に記載の方法において、前記状態報告成分が１の値を有し、測定された受信チャネル電力インディケータ（ＲＣＰＩ）が前記しきい値成分により示されるしきい値を超えることに応じて、前記ビーコン報告は送信されることを特徴とする方法。
【請求項５】
請求項１に記載の方法において、前記状態報告成分が２の値を有し、測定された受信チャネル電力インディケータ（ＲＣＰＩ）が前記しきい値成分により示されるしきい値以下であることに応じて、前記ビーコン報告は送信されることを特徴とする方法。
【請求項６】
請求項１に記載の方法において、前記状態報告成分が３の値を有し、信号対雑音比インディケータ（ＳＮＩ）が前記しきい値成分により示されるしきい値よりも大きいことに応じて、前記ビーコン報告は送信されることを特徴とする方法。
【請求項７】
請求項１に記載の方法において、前記状態報告成分が４の値を有し、信号対雑音比インディケータ（ＳＮＩ）がヒステリシスを伴う絶対しきい値以下であることに応じて、前記ビーコン報告は送信されることを特徴とする方法。
【請求項８】
請求項１に記載の方法において、前記状態報告成分が５の値を有し、受信チャネル電力インディケータ（ＲＣＰＩ）がサービングアクセスポイント（ＡＰ）のＲＣＰＩからのオフセットにより定義されたしきい値を超えることに応じて、前記ビーコン報告は送信されることを特徴とする方法。
【請求項９】
請求項１に記載の方法において、前記状態報告成分が６の値を有し、受信チャネル電力インディケータ（ＲＣＰＩ）がサービングアクセスポイント（ＡＰ）のＲＣＰＩからのオフセットにより定義されたしきい値以下であることに応じて、前記ビーコン報告は送信されることを特徴とする方法。
【請求項１０】
請求項１に記載の方法において、前記状態報告成分が７の値を有し、信号対雑音比インディケータ（ＳＮＩ）がサービングアクセスポイント（ＡＰ）のＲＣＰＩからのオフセットにより定義されたしきい値を超えることに応じて、前記ビーコン報告は送信されることを特徴とする方法。
【請求項１１】
請求項１に記載の方法において、前記状態報告成分が８の値を有し、信号対雑音比インディケータ（ＳＮＩ）がサービングアクセスポイント（ＡＰ）のＲＣＰＩからのオフセットにより拘束された値以下であることに応じて、前記ビーコン報告は送信されることを特徴とする方法。
【請求項１２】
請求項１に記載の方法において、前記状態報告成分が９の値を有し、受信チャネル電力インディケータ（ＲＣＰＩ）がサービングアクセスポイント（ＡＰ）のＲＣＰＩとオフセット基準値とにより定義された範囲内であることに応じて、前記ビーコン報告は周期的に送信されることを特徴とする方法。
【請求項１３】
請求項１に記載の方法において、前記状態報告成分が１０の値を有し、信号対雑音比インディケータ（ＳＮＩ）がサービングアクセスポイント（ＡＰ）のＳＮＩとオフセット基準値とにより定義された範囲内であることに応じて、前記ビーコン報告は周期的に送信されることを特徴とする方法。
【請求項１４】
測定を要求し受信するように構成された無線送受信ユニット（ＷＴＲＵ）であって、
モードフィールド、測定継続期間フィールド、ベーシック・サービス・セット識別子（ＢＳＳＩＤ）フィールド、チャネル番号フィールド、およびビーコン情報報告フィールドを含むビーコン要求を受信するように構成された受信機であって、前記ビーコン情報報告フィールドが状態報告成分としきい値成分を含む、受信機と、
前記ビーコン要求に応じてビーコンレポートを送信するように構成された送信機と
を具備することを特徴とする無線送受信ユニット（ＷＴＲＵ）。
【請求項１５】
請求項１４に記載のＷＴＲＵにおいて、前記状態報告成分が、前記ビーコン報告を伝送する状態を報告する８ビットの整数であることを特徴とするＷＴＲＵ。
【請求項１６】
請求項１４に記載のＷＴＲＵにおいて、
周期的に、測定を実行する測定ユニットであって、前記状態報告成分が０の値を有し、前記ビーコン報告が書く測定の後に送信される、測定ユニットを更に含むことを特徴とするＷＴＲＵ。
【請求項１７】
請求項１４に記載のＷＴＲＵにおいて、前記状態報告成分が１の値を有し、測定された受信チャネル電力インディケータ（ＲＣＰＩ）が前記しきい値成分により示されるしきい値を超えることに応じて、前記ビーコン報告は送信されることを特徴とするＷＴＲＵ。
【請求項１８】
請求項１４に記載のＷＴＲＵにおいて、前記状態報告成分が２の値を有し、測定された受信チャネル電力インディケータ（ＲＣＰＩ）が前記しきい値成分により示されるしきい値以下であることに応じて、前記ビーコン報告は送信されることを特徴とするＷＴＲＵ。
【請求項１９】
請求項１４に記載のＷＴＲＵにおいて、前記状態報告成分が３の値を有し、信号対雑音比インディケータ（ＳＮＩ）が前記しきい値成分により示されるしきい値よりも大きいことに応じて、前記ビーコン報告は送信されることを特徴とするＷＴＲＵ。
【請求項２０】
請求項１４に記載のＷＴＲＵにおいて、前記状態報告成分が４の値を有し、信号対雑音比インディケータ（ＳＮＩ）がヒステリシスを伴う絶対しきい値以下であることに応じて、前記ビーコン報告は送信されることを特徴とするＷＴＲＵ。
【請求項２１】
請求項１４に記載のＷＴＲＵにおいて、前記状態報告成分が５の値を有し、受信チャネル電力インディケータ（ＲＣＰＩ）がサービングアクセスポイント（ＡＰ）のＲＣＰＩからのオフセットにより定義されたしきい値を超えることに応じて、前記ビーコン報告は送信されることを特徴とするＷＴＲＵ。
【請求項２２】
請求項１４に記載のＷＴＲＵにおいて、前記状態報告成分が６の値を有し、受信チャネル電力インディケータ（ＲＣＰＩ）がサービングアクセスポイント（ＡＰ）のＲＣＰＩからのオフセットにより定義されたしきい値以下であることに応じて、前記ビーコン報告は送信されることを特徴とするＷＴＲＵ。
【請求項２３】
請求項１４に記載のＷＴＲＵにおいて、前記状態報告成分が７の値を有し、信号対雑音比インディケータ（ＳＮＩ）がサービングアクセスポイント（ＡＰ）のＲＣＰＩからのオフセットにより定義されたしきい値を超えることに応じて、前記ビーコン報告は送信されることを特徴とするＷＴＲＵ。
【請求項２４】
請求項１４に記載のＷＴＲＵにおいて、前記状態報告成分が８の値を有し、信号対雑音比インディケータ（ＳＮＩ）がサービングアクセスポイント（ＡＰ）のＲＣＰＩからのオフセットにより拘束された値以下であることに応じて、前記ビーコン報告は送信されることを特徴とするＷＴＲＵ。
【請求項２５】
請求項１４に記載のＷＴＲＵにおいて、前記状態報告成分が９の値を有し、受信チャネル電力インディケータ（ＲＣＰＩ）がサービングアクセスポイント（ＡＰ）のＲＣＰＩとオフセット基準値とにより定義された範囲内であることに応じて、前記ビーコン報告は周期的に送信されることを特徴とするＷＴＲＵ。
【請求項２６】
請求項１４に記載のＷＴＲＵにおいて、前記状態報告成分が１０の値を有し、信号対雑音比インディケータ（ＳＮＩ）がサービングアクセスポイント（ＡＰ）のＳＮＩとオフセット基準値とにより定義された範囲内であることに応じて、前記ビーコン報告は周期的に送信されることを特徴とするＷＴＲＵ。